(57)【要約】  本発明は、ポケットランプであって、このポケットランプが、異なる輝度等級及び／または発光色の切替えのために、回転スイッチを備えており、この回転スイッチが、端面側に設けられた弾力的に支承された電気的な接点２０、２１を備える、回転可能にポケットランプケーシング１４内において設けられた、電池カートリッジ１５を有しており、これら接点が、それぞれに、１つの電気的な接触面５と、または、１つの接触板１６の１つの接触ゾーン１、２、３、４と結合されている様式のポケットランプに関する。簡単に構成され、軽量な、且つ、高い信頼性で操作可能な切替え可能性を、異なる切替段を有するポケットランプのために提供するために、電池カートリッジ１５が、固定スリーブ１１からの紛失の恐れなく、ポケットランプケーシング１４内において、保持されており、且つ、回転ノブ１２を用いて、このポケットランプケーシング１４内において回転され得、この回転ノブが、この固定スリーブ１１を長手軸線方向に貫通差込みしている。
2013531346.tif 000002
【特許請求の範囲】
【請求項１】
ポケットランプであって、
このポケットランプが、異なる輝度等級及び／または発光色の切替えのために、回転スイッチを備えており、
この回転スイッチが、端面側に設けられた弾力的に支承された電気的な接点（２０、２１）を備える、回転可能にポケットランプケーシング（１４）内において設けられた、電池カートリッジ（１５）を有しており、
これら接点が、それぞれに、１つの電気的な接触面（５）と、または、１つの接触板（１６）の１つの接触ゾーン（１、２、３、４）と結合されている、様式のポケットランプにおいて、
電池カートリッジ（１５）が、固定スリーブ（１１）からの紛失の恐れなく、ポケットランプケーシング（１４）内において、保持されており、且つ、
回転ノブ（１２）を用いて、このポケットランプケーシング（１４）内において回転され得、この回転ノブが、この固定スリーブ（１１）を長手軸線方向に貫通差込みしていることを特徴とするポケットランプ。
【請求項２】
接触板（１６）は、一方の側面上において、
中央において設けられた１つの電気的な接触面（５）、および、この接触面から半径方向に離間された、多数の電気的な接触ゾーン（１、２、３、４）を有していることを特徴とする請求項１に記載のポケットランプ。
【請求項３】
接触板（１６）の他方の側面上において、
少なくとも１つのＬＥＤ（１７）設けられていることを特徴とする請求項２に記載のポケットランプ。
【請求項４】
接触面（５）、および接触ゾーン（１、２、３、４）は、絶縁縁部（２３）によって互いに分離されていることを特徴とする請求項１から３のいずれか一つに記載のポケットランプ。
【請求項５】
弾力的に支承された電気的な接点（２０）は、中央に設けられた接触面（５）と、電気的に結合されており、且つ、
他方の電気的な接点（２１）が、半径方向に離間された接触ゾーン（１、２、３、４）の内の１つの接触ゾーンと結合されていることを特徴とする請求項１から４のいずれか一つに記載のポケットランプ。
【請求項６】
電池カートリッジ（１５）は、後方の端部において、リング形状の当接面（４２）およびねじ山部分（４３）を備えていることを特徴とする請求項１から５のいずれか一つに記載のポケットランプ。
【請求項７】
固定スリーブ（１１）は、ねじ山部分（４０）を介して、ポケットランプケーシング（１４）と結合可能であり、且つ、当接面（４１）を有しており、
この当接面が、電池カートリッジ（１５）との当接のために形成されており、且つ、この電池カートリッジ（１５）を紛失の恐れなく保持していることを特徴とする請求項１から６のいずれか一つに記載のポケットランプ。
【請求項８】
回転ノブ（１２）は、ねじ山部分を介して、電池カートリッジ（１５）と結合されていることを特徴とする請求項１から７のいずれか一つに記載のポケットランプ。
【請求項９】
電池カートリッジ（１５）は、押圧スイッチ（２２）を備えており、
この押圧スイッチが、回転ノブ（１２）内において設けられた押しボタン（４４）と、作用結合の状態にあることを特徴とする請求項１から８のいずれか一つに記載のポケットランプ。
【発明の詳細な説明】
【技術分野】
【０００１】
本発明は、ポケットランプであって、
このポケットランプが、異なる輝度等級（Ｈｅｌｌｉｇｋｅｉｔｓｓｔｕｆｅｎ）及び／または発光色の切替えのために、回転スイッチを備えており、
この回転スイッチが、端面側に設けられた弾力的に支承された電気的な接点を備える、回転可能にポケットランプケーシング内において設けられた、電池カートリッジを有しており、
これら接点が、それぞれに、１つの電気的な接触面と、または、１つの接触板の１つの接触ゾーンと結合されている、様式のポケットランプに関する。
【背景技術】
【０００２】
過去の年月において、白熱電球を有する旧来のポケットランプは、益々、発光ダイオード（ＬＥＤ）を有するポケットランプによって排除されてきた。
ＬＥＤの利点は、特に、この白熱電球と比較して、比較的に僅かの電力消費、衝撃−衝突不敏感性、並びに、明確に長い耐用期間にある。このことは、白熱電球の場合とは異なり、特に、供給されるエネルギーの比較的に大きな部分が、直接的に光の発生に変換され、且つ、熱に変換されないことにある。
【０００３】
そうこうしている間に、同様に種々の発光ダイオードも公知となり、これら発光ダイオードが、種々の（異なる）輝度を備えており、及び／または、光を、異なる色において放出可能である。更に、同様に１つの接触板の上でのＬＥＤチップも、いわゆるチップオンボード（Ｃｈｉｐ  ｏｎ  Ｂｏａｒｄ）として公知であり、同様に、異なるＬＥＤが１つの支持体の上に設けられているような諸構成においても公知である。
【０００４】
上記発光ダイオードまたは複数の発光ダイオードの、比較的に高い輝度への、または、他の色混合への切替えのために、それぞれに異なる切替回路を、異なる電圧でもって作動することは必要であり、この目的のために、機械的な段切替器（Ｓｔｕｆｅｎｓｃｈａｌｔｅｒ）が公知であり、この段切替器が、それぞれの切替段に応じて、異なる、または同様に付加的が接点を閉鎖する。
【０００５】
そのような段切替器の欠点は、この段切替器の比較的に大きな磨耗の起き易さ、並びに、場合によっては引っ掛かり多い案内部（ｚｕｍ  Ｔｅｉｌ  ｈａｋｅｌｉｇｅｎ  Ｆｕｅｈｒｕｎｇｅｎ）にあり、これら案内部の場合に、締まって動かなくなることが排除され得ない。使用される押圧ばね、および解離可能な係止要素の、それぞれの品質の良さに応じて、不都合な切替ミスは、同様に、排除され得ない。
【０００６】
このような段階切替器と並んで、同様に回転スイッチも公知である。
【０００７】
例えば、特許文献１内において、ポケットランプのそれぞれに１つの担持において１つの光源を有する、ロッド形状のポケットランプが記載されている。このポケットランプは、２つの部分から成り、これら部分が、互いに回転可能である。
【０００８】
このポケットランプの一方の部分は、電池カートリッジと結合されており、この電池カートリッジの端面において、１つのセグメント化された接触板が固定されており、この接触板が、他方の部分の、位置固定式に支承された電気的な接点に当接している。この電池カートリッジの回転によって、これら電気的な接点は、異なる接触面と結合され得、且つ、従って、異なる電流回路が閉鎖する。
【０００９】
この記載された構造において、これらポケットランプ部分が、単に互いに差し込まれているだけであり、且つ、従って、容易に互いに離間するように引き離され得、このことによって、これらポケットランプ部分が、これらポケットランプ部分の機能性を失うことは欠点である。
【先行技術文献】
【特許文献】
【００１０】
【特許文献１】国際公開第００／４５０８６号パンフレット
【発明の概要】
【発明が解決しようとする課題】
【００１１】
従って、本発明の課題は、簡単に構成され、軽量な、且つ、高い信頼性で操作可能な切替え可能性を、異なる切替段を有するポケットランプのために提供することである。特に、そのようなポケットランプは、頑丈に構成されるべきであり、且つ、同様に、粗野な使用においても、高い信頼性で機能すべきである。
【課題を解決するための手段】
【００１２】
この課題は、請求項１に従うポケットランプによって解決され、それに従って、
電池カートリッジが、固定スリーブからの紛失の恐れなく、ポケットランプケーシング内において、保持されており、且つ、
回転ノブを用いて、このポケットランプケーシング内において回転され得、この回転ノブが、この固定スリーブを長手軸線方向に貫通差込みしている。
このようなポケットランプは、１つの回転スイッチにもかかわらず、簡単に、且つ同時に頑丈に構成されている。
【発明の効果】
【００１３】
有利な更なる構成は、以下において、および従属請求項内において記載されている。
【００１４】
本発明の第１の有利な実施形態に従い、
接触板は、一方の側面上において、中央において設けられた１つの電気的な接触面、および、この接触面から半径方向に離間された、多数の電気的な接触ゾーンを有している。
【００１５】
実際上は、同様に他の構成も可能である。例えば、電気的な接触面が、リング状、または部分リング状に構成され得、その際、対応する電気的な接点が、この接点が、電池カートリッジの回転の際に、この接触面と当接状態のままであるように設けられていることが単に顧慮されねばならないだけである。この接触板の他方の側面上において、有利には、少なくとも１つのＬＥＤ設けられている。
【００１６】
本発明の中心思想は、異なる切替え状態を有するポケットランプに関する。このことを可能にするために、接触ゾーンは、異なる電気的な抵抗、または異なるＬＥＤと結合されており、従って、電流回路を閉鎖する接触ゾーンの選択、および、このポケットランプの機能が定められ得る。
【００１７】
個別の接触ゾーンの間に、如何なる電流の流れも生じさせないために、電気的な接触面、および電気的な接触ゾーンは、絶縁縁部によって互いに分離されている。
【００１８】
本発明の有利な実施形態に従い、
弾力的に支承された電気的な接点は、中央に設けられた接触面と、電気的に且つ接触状態で結合されており、且つ、他方の電気的な接点が、半径方向に離間された接触ゾーンの内の１つの接触ゾーンと結合されている。
【００１９】
結局のところ、しかしながら、接触面および接触ゾーンの具体的な位置および形状に、重要な意味は無い。むしろ、それぞれの接点が、同様に電池カートリッジの回転の際にも、接触面または所望された接触ゾーンと結合されていることが重要である。
【００２０】
ポケットランプに、組み立てられた状態において、このポケットランプの所望された安定性を付与するために、且つ、このポケットランプが、同様に粗野な使用においても、確実に機能を果たす能力があるままであるために、電池カートリッジは、紛失の恐れなく、ポケットランプケーシング内において保持されている。
【００２１】
有利には、この電池カートリッジは、この目的のために、後方のリング状の当接面、および、ねじ山部分を有しており、その際、固定スリーブが、対応する当接面およびねじ山部分を備えており、このねじ山部分でもって、この電池カートリッジがポケットランプケーシングと結合されている。
【００２２】
要するに、回転ノブは、ねじ山部分を介して、電池カートリッジと結合されており、従って、この電池カートリッジが、この回転ノブの上で、ポケットランプケーシング内において回転され得る。この回転ノブは、組み付けられた状態で、長手軸線方向に、固定スリーブを貫通差込みしている。
【００２３】
本発明の更に有利な構成に従い、
電池カートリッジは、押圧スイッチを備えており、この押圧スイッチが、回転ノブ内において設けられた押しボタンと、作用結合の状態にある。
【００２４】
この付加的な押圧スイッチは、使用者に、ポケットランプの所望された切替機能を、回路遮断（消灯、スイッチオフ）状態において、この電池カートリッジの回転によって選択すること、および、この機能を、この押圧スイッチを介して、回路接続（点灯、スイッチオン）することを可能にする。
【００２５】
更に、この押圧スイッチを介して、このポケットランプが、回転ノブの意図しない回転によって回路接続（点灯、スイッチオン）されることが防止され、このことは、例えば、リュックサックまたはポケット内における輸送の際に、容易に起こり得る。
【００２６】
本発明の更に有利な実施形態および具体的な構成を、以下で、図に基づいて説明する。
【図面の簡単な説明】
【００２７】
【図１】ポケットランプの側面図である。
【図２】図１の線Ａ−Ａに沿ってのポケットランプの長手方向断面図である。
【図３】図２内における部分Ｃの詳細図である。
【図４】図２内における部分Ｂの詳細図である。
【図５】４つの接触ゾーンと１つの接触面を有する、円板形状の接触板の下側の図である。
【図６】アダプター光学系、チップオンボード、並びに、端キャップに保持された電池カートリッジを有するランプヘッドの概略図である。
【発明を実施するための形態】
【００２８】
図内において示されたポケットランプは、端部側で、解離可能に固定された、ねじり固定可能な端キャップ１０を有する、円筒形の形状を備えており、この端キャップが、固定スリーブ１１および回転ノブ１２から形成されており、および、このポケットランプが、前方側で、開放された端部１３を備えており、この開放された端部が、光射出面として形成されている。
【００２９】
ポケットランプケーシング１４内において、少なくとも、１つの電池、または１つの電池積層体、または１つの電池カートリッジ１５が設けられており、この電池カートリッジが、多数の、直列に接続された電池を収容している。更に、このポケットランプは、少なくとも１つのＬＥＤ１７を有する１つの接触板１６を備えている。
【００３０】
唯一のＬＥＤ１７の使用の場合、このＬＥＤ１７に供給される（ａｂｆａｌｌｅｎｄｅｎ）電圧に応じて、異なる色、及び／または異なる輝度が放射され得る。
【００３１】
ポケットランプは、更に、アダプター光学系１８を装備しており、このアダプター光学系が、反射鏡レンズとして形成されており、その際、中央において放出された光線が、内側の集光レンズ部分に当たり、且つ、そこで、平行な光へと集束され、
他方、側方で放射された光線が、円錐状鏡面、並びに外側の反射鏡面に当たり、そこから、これら光線が、同様に、開放された端部１３の方向に放射される。
【００３２】
本発明に従い、ポケットランプは、１つの回転スイッチを備えており、この回転スイッチが、今ここで問題になっている当該のケースにおいて、接触板１６、電池カートリッジ１５、および回転ノブ１２によって形成されている。
【００３３】
この図示された場合において、この電池カートリッジ１５は、中央の接触面５と電気的に結合されている、第１の中央のばね接点２０と、並びに、回転可能な電池カートリッジ１５と共に、接触板１６の下側で、異なる電気的な接触ゾーン１、２、３、４を擦過する、中央から離れて設けられた接点ばね２１とを備えている。
【００３４】
電池カートリッジ１５無しに電池積層体の使用の際、または、唯一の電池の使用の際に、中央の接触は、同様に、この電池の正の電極によって形成される。
【００３５】
この接点ばねは、原理的に図５内において図示されているように、接触ゾーン１、２、３、４内の１つの接触ゾーンと、接触可能であり、その際、それぞれの接触ゾーン１、２、３、４が、異なる切替え可能性（Ｓｃｈａｌｔｕｎｇｓｍｏｅｇｌｉｃｈｋｅｉｔ）を提供する。
【００３６】
接触ゾーン１から４の間に、それぞれに、絶縁縁部２３が設けられており、これら絶縁縁部は、２つの接触ゾーンとの接点ばね２１の同時の接触による、誤切替えを防止する。
【００３７】
この切替え可能性の変形は、適宜の大きさであり、且つ、接点ばね２１が、これら接触ゾーン１、２、３、４の内の１つの接触ゾーンとの確実な載置を、１つの所定の切替え状態において有するべきであることによって、単に制限される。付加的な要素、または、更に別の制御回路の使用によって、異なるダイオードまたはダイオードグループでの回路接続（点灯、スイッチオン）、並びに、異なる電圧での回路接続（点灯、スイッチオン）と並んで、同様に点滅作用も実現可能である。
【００３８】
それに加えて、この様式のポケットランプは、押圧スイッチ２２を備えており、従って、所望された切替機能が、同様に回路遮断（消灯、スイッチオフ）状態においても選択され得る。
【００３９】
ポケットランプケーシング１４の内側の電池カートリッジ１５の、紛失の恐れのない保持は、図４の詳細図内において図示されている。
【００４０】
この目的のために、ポケットランプケーシング１４は、ねじ山部分４０を備えており、このねじ山部分を介して、固定スリーブ１１が固定されている。この固定スリーブ１１は、当接面４１を備えており、この当接面が、電池カートリッジ１５の当接面４２と当接状態にあり、且つ、この電池カートリッジが、ポケットランプケーシング１４内において保持されている。
【００４１】
更に、この電池カートリッジ１５は、ねじ山部分４３を介して、回転ノブ１２と結合されており、この回転ノブが、固定スリーブ１１を、長手軸線方向において、貫通差込みしている。この回転ノブ１２の内側に、この図示された場合において、押しボタン４４が設けられており、この押しボタンが、電池カートリッジ１５の押圧スイッチ２２と結合されている。
【符号の説明】
【００４２】
１、２、３、４    接触ゾーン
５      接触面
１０    端キャップ
１１    固定スリーブ
１２    回転ノブ
１３    開放された端部
１４    ポケットランプケーシング
１５    電池カートリッジ
１６    接触板
１７    ＬＥＤ
１８    アダプター光学系
２０    ばね接点、接点
２１    接点ばね
２２    押圧スイッチ
２３    絶縁縁部
４０    ねじ山部分
４１    当接面
４２    当接面
４３    ねじ山部分
４４    押しボタン
【図１】
2013531346.tif 000003
【図２】
2013531346.tif 000004
【図３】
2013531346.tif 000005
【図４】
2013531346.tif 000006
【図５】
2013531346.tif 000007
【図６】
2013531346.tif 000008
【国際調査報告】
2013531346.tif 000009
2013531346.tif 000010
2013531346.tif 000011
2013531346.tif 000012
2013531346.tif 000013
2013531346.tif 000014